(57)【要約】  積層ガラス基板、例えば、イオン交換ガラス基板を用い、フレキシブルガラスを備えたフロントプレーン物品が記載され、およびアルカリの移動に敏感にすることができる光電子デバイスが、該物品を形成するための方法とともに記載されている。
2015506888.tif 000002
【特許請求の範囲】
【請求項１】
光電子デバイス用フロントプレーン基板であって、
第１の面および第２の面を有するガラス基板と、
半径３０ｃｍ以上の曲げ能力を有し、および第１の面および第２の面を有するフレキシブルガラス層と、
を備え、
前記フレキシブルガラス層の第１の面が、前記ガラス基板の第２の面に隣接している、フロントプレーン基板。
【請求項２】
前記フレキシブルガラス層に隣接する光電子デバイスをさらに備える、請求項１に記載のフロントプレーン基板。
【請求項３】
前記フレキシブルガラス層と前記ガラス基板との間に設けられた接合層をさらに備える、請求項１に記載のフロントプレーン基板。
【請求項４】
前記フレキシブルガラス層は無アルカリガラスである、請求項１に記載のフロントプレーン基板。
【請求項５】
第１の面および第２の面を有するガラス基板を設ける工程と、
半径３０ｃｍ以上の曲げ能力を有し、および第１の面および第２の面を有するフレキシブルガラス層を、該フレキシブルガラス層の第１の面が前記ガラス基板の第２の面に隣接するように施す工程、
を有してなる、方法。
【発明の詳細な説明】
【優先権】
【０００１】
この出願は、２０１１年１１月８日に出願された米国特許仮出願第６１／５５６９３４号の米国特許法第１１９条に基づく優先権の利益を主張する、２０１２年１０月２５日に出願された米国特許出願第１３／６６０４９４号の同第１２０条に基づく優先権の利益を主張し、その内容は、依拠され、およびその全体の参照によって、本願明細書に組み込まれるものとする。
【技術分野】
【０００２】
この開示は、積層構造を用いる光電子デバイスを対象とし、およびより具体的には、強化ガラスを、フレキシブルガラス層または高分子層を有するフロントプレーン基板として用いる光電子デバイスおよびその形成方法を対象としている。
【背景技術】
【０００３】
現在、薄く、軽量で機械的耐久性のあるディスプレイや同様のデバイスを作ることに対する関心がある。その現在のアプローチは、強化ガラスカバーを用いて、個々に製造されたディスプレイを保護することである。この現在のアプローチは、多数の基板を用いて、比較的厚いパッケージ化されたデバイスを生じさせている。該強化カバーと該ディスプレイを一体化して、現在あるものよりも薄く、より軽量で、より耐久性のあるデバイスに対する関心がある。また、機械的に信頼できる共形的または平坦でないディスプレイを実現することに対する関心がある。
【０００４】
より薄いデバイスを作る際に、これまで取られてきた異なるアプローチは、ディスプレイまたは他のデバイスパネルを製造することと、その厚みを化学的にエッチングすることを含んでいた。そして、該強化カバーは、該ディスプレイに近接して、または該ディスプレイに直接取付けられる。直接接合を行う場合、それは、パネル製造の一部としてではなく、デバイスパッケージングの工程として行われる。
【発明の概要】
【発明が解決しようとする課題】
【０００５】
強化ガラス基板を用いて、機械的に耐久性のある電子デバイスフロントプレーンを形成することが有利であろう。
【課題を解決するための手段】
【０００６】
基板としての機械的に強化されたイオン交換ガラスと、能動電子装置を製造するためのバリア用フレキシブル薄型ガラスから成る層とが、共同所有されている、２０１１年５月６日に出願された米国特許仮出願第６１／４８３，２０５号明細書に記載されている。無アルカリフレキシブルガラスは、一般に、液晶ディスプレイ（ＬＣＤ）用カラーフィルタとして機能するフロントプレーンとしても用いることができるため、本発明者等は、該フレキシブルガラスを、フロントガラスとしてのイオン交換ガラス等の機械的に耐久性のあるガラスに積層すると、機械的に強いフロントカバーと、無アルカリのより薄く、より軽量のガラス面の両方を作り出すことができると考えている。
【０００７】
対照的に、本開示は、該強化カバーが、該パネル製造プロセスの一部として、そのデバイス構造に直接一体化されるという点で、前述のアプローチとは異なっている。該強化ガラスを、パネル製造の一部として一体化することにより、より薄く、より軽量で、より耐久性のあるデバイスを実現することができる。また、このアプローチは、共形的ディスプレイを製造するためのより効率的なプロセスを生じさせる。
【０００８】
本開示は、該強化カバーを該ディスプレイのフロントプレーンに一体化するデバイスデザインに関する。具体的には、実施形態は、強化カバーに接合されたフレキシブルガラスフロントプレーンと、該強化カバー上に直接作られたフロントプレーンのためのコンセプトを含む。このデバイス構成および該デバイスを形成する方法は、これまでに報告されていない。
【０００９】
実施形態は、以下の利点のうちの１つ以上を実現することができ、該フロントプレーンを該カバーガラスに直接一体化することによる機械的信頼性、すなわち、高レベルの機械的信頼性が実現される。平坦なフロントプレーンの直接接合は、ディスプレイおよびタッチパネルにおいて、既に行われていた。一実施形態において、該フロントプレーンは、そのパネルアセンブリまたは製造プロセスの一部として、該カバーガラスに直接接合され、すなわち、フレキシブルガラスフロントプレーン基板を該カバーガラスに一体化することによる処理能力、すなわち、追加的な処理選択肢が実現される。該フレキシブルガラスは、ロールツーロール法または他の処理方法のために最適化することができ、およびその場合、製造が完了した後に、該カバーガラスに積層することができる。このアプローチは、それが都合が良い場合には、ロールツーロール法を用いる。それは、完全に、または部分的に製造されたフレキシブルガラスフロントプレーンの、平坦でないカバーガラスへの接合を可能にする。また、それは、そうするのが有利である場合には、カバーガラスに接合されたフレキシブルガラスのシート処理を用い、すなわち、該カバーガラスとフロントプレーンを一体化することによるより薄く、より軽量の、すなわち、より薄く、より軽量のデバイスが実現され、および／またはこのアプローチは、不必要なデバイス厚みおよび／または重量をなくすことができる。
【００１０】
一つの可能性は、Ｇｏｒｉｌｌａ（登録商標）（コーニング社の登録商標）ガラス等の強化ガラスをフロントプレーン基板として用いることである。
【００１１】
一つの実施形態は、第１の面および第２の面を有するガラス基板と、半径３０ｃｍ以上の曲げ能力を有し、および第１の面および第２の面を有するフレキシブルガラス層とを備え、該フレキシブルガラス層の第１の面が、該ガラス基板の第２の面に隣接している光電子デバイス用フロントプレーン基板である。
【００１２】
別の実施形態は、第１の面および第２の面を有するガラス基板を設ける工程と、半径３０ｃｍ以上の曲げ能力を有し、および第１の面および第２の面を有するフレキシブルガラス層を、該フレキシブルガラス層の第１の面が前記ガラス基板の第２の面に隣接するように施す工程とを有してなる方法である。
【００１３】
追加的な特徴および利点は、以下の詳細な説明に記載され、および当業者には、その説明からある程度は容易に明らかになるであろうし、または、書かれている説明、本発明のクレームならびに添付図面に記載されているように本発明を実施することによって正しく認識されるであろう。
【００１４】
上記の一般的な説明および以下の詳細な説明はともに、単に本発明の例示であり、およびクレームされているような本発明の本質および特徴を理解するための概要またはフレームワークを説明することが意図されている。
【００１５】
該添付図面は、本発明のさらなる理解をもたらすために含まれており、およびこの明細書に組み込まれ、および該明細書の一部を構成している。それらの図面は、本発明の１つ以上の実施形態を示し、および該説明とともに、本発明の原理および動作を説明するのに役に立つものである。
【図面の簡単な説明】
【００１６】
本発明は、以下の詳細な説明のみから、または、該添付図面とともに該説明から理解することができる。
【図１】図１は、一実施形態によるフロントプレーン基板の説明図である。
【図２】図２は、一実施形態によるフロントプレーン基板の説明図である。
【図３】図３は、様々な厚さにおける、例示的なイオン交換ガラス基板のリングオンリング破壊強度を示すグラフである。
【発明を実施するための形態】
【００１７】
次に、様々な実施形態に関して詳細に説明する。
【００１８】
「基板」という用語は、本願明細書において用いる場合、そのデバイスの構成により、基板または表板のいずれかを説明するのに用いることができる。例えば、該基板は、例えば、太陽電池に組み込まれる場合、表板であり、それは、太陽電池の入射面にある。該表板は、その光起電材料のための、衝撃および環境劣化からの保護をもたらすとともに、太陽スペクトルの適切な波長の伝送を可能にすることができる。さらに、多数の太陽電池を太陽電池モジュール内に配置することができる。光起電装置は、セル、モジュールまたはそれらの両方を言い表すことができる。
【００１９】
「隣接する」という用語は、本願明細書において用いる場合、極めて接近していると定義することができる。隣接する構造物は、互いに物理的に接触していてもしていなくてもよい。隣接する構造物は、それらの間に配置された他の層および／または構造物を有することができる。該隣接する層は、１つ以上の空隙を含む１つ以上の層によって隔ててもよい。
【００２０】
実施形態は、強化カバーガラスに接合されたか、または該カバーガラス上に作られたデバイスフロントプレーンを備える。該フロントプレーンは、フレキシブルガラス基板上に形成し、その後、該カバーガラスに接合することができ、または、該フロントプレーンは、該カバーガラス自体の上に直接形成することができる。
【００２１】
該フロントプレーンは、電子新聞用フロントプレーン等の構造部を備えることができる。これは、電気泳動またはエレクトロクロミックフロントプレーンを含むことができる。また、該フロントプレーンは、液晶ディスプレイまたは電子新聞ディスプレイ用のカラーフィルタフロントプレーンと、タッチセンサ基板を備えることもできる。また、該フロントプレーンは、光起電装置フロントプレーンを備えることもできる。一般に、該装置のフロントプレーンは、半導体素子が、バックプレーン上に形成されておらず、および通常、該バックプレーンの反対側にある基板である。
【００２２】
該強化カバーガラスは、イオン交換または他の強化基板を備えることができる。この実施例は、「Ｇｏｒｉｌｌａ」ガラスおよびＦＩＴ基板を含む。
【００２３】
該フレキシブルガラス基板は、保護コーティングを有するか、または、該コーティングのない３００μｍ未満のガラス基板を備えることができる。フロントプレーン製造に適合するフレキシブルガラス基板の実施例は、溶融延伸Ｅａｇｌｅ  ＸＧ（登録商標）（コーニング社の登録商標）、再延伸「Ｅａｇｌｅ  ＸＧ」およびスロット延伸０２１１を含む。フロントプレーン製造の場合、該フレキシブルガラスは、個別シートとして、または、巻取りガラスのロールとして用いることができる。巻取りフレキシブルガラスは、効率的なロールツーロールプロセスで該フロントプレーンを製造する能力を呈している。ロールツーロールフロントプレーン製造の後、その個別のデバイスフロントプレーンは、単一化して、個々のカバーガラス基板に接合することができる。このことは、それが都合が良い場合に、ロールツーロール処理の利用を、およびシートベースの処理が必要な場合には、該カバーガラスへの該フレキシブルガラスの接合の利用を可能にする。例えば、該カバーガラスは、ある時点の後で、特定のシートベースの処理が望ましい場合、該フレキシブルガラスへの処理搬送手段として機能することができる。該フレキシブルガラス上へのデバイスの製造は、平坦でない強化カバーガラス基板への接合も可能にする。湾曲した、または、平坦でないカバーガラス上へのデバイスの直接的製造は、処理の観点からは実用的ではないであろう。しかしながら、図２に示すように、フレキシブルガラス上への最初のフロントプレーン製造と、その後の湾曲したカバーガラスへの接合が可能である。
【００２４】
別の重要性として、本開示は、共形的ディスプレイの組立てに対する一つのアプローチを可能にする。デバイスが、平坦な状態で組み立てられる場合、該デバイスが、その後、所定の半径に湾曲されるときに、ある程度の歪が生じることになる。この誘起された歪は、該デバイスのパフォーマンスに影響を及ぼす可能性がある。例えば、ＬＣＤが平坦に組み立てられて、その後、湾曲される場合、他の層の該液晶中の結果として生じる歪は、曲解された、または、低い品質イメージに訴える可能性がある。しかし、本開示の場合、該フロントプレーンは、まず製造して、その後、該湾曲したカバーガラスに接合することができる。次に、該バックプレーンを該フロントプレーンに取付けることができる。該デバイスをこの順に組み立てることにより、該フロントプレーンと該バックプレーンを接合する接着剤および他の材料は、湾曲される際に、応力のない状態になる。
【００２５】
一つの実施形態は、図１に示すように、第１の面１２および第２の面１４を有するガラス基板１０と、半径３ｃｍ以上までの湾曲の能力を有し、および第１の面１８および第２の面２０を有するフレキシブルガラス層１６とを備え、フレキシブルガラス層１６の第１の面１８が、ガラス基板１０の第２の面１４に隣接している、光電子デバイス用のフロントプレーン基板１００である。図１に示すような一実施形態において、光電子デバイス２２は、フレキシブルガラス層１６の第２の面２０に隣接している。
【００２６】
一実施形態において、該フレキシブルガラス層は、該ガラス基板上に配置され、例えば、該フレキシブルガラス層は、該ガラス基板と物理的に接触している。一実施形態において、該フレキシブルガラス層は、無アルカリガラスである。無アルカリガラスは、意図的に付加したアルカリがない可能性があり、または、例えば、０．０５重量パーセント未満のアルカリ含有量、例えば、０重量パーセントのアルカリを有することができる。該フレキシブルガラス層は、ガラスシートの形態をとることができる。
【００２７】
一実施形態において、該フレキシブルガラス層またはシートは、光学的に透明である。該フレキシブルガラス層は、光学的にクリアに、および光学的にクリアかつ光学的に透明にすることができる。光学的にクリアとは、裸眼で見える色がないことを意味する。
【００２８】
該フレキシブルガラス層は、無アルカリガラス組成物から形成して、３００μｍ未満の厚さに延伸することができる。例えば、該フレキシブルガラスは、３００μｍ以下、例えば、２００μｍ以下、例えば、１００μｍ以下、例えば、５０μｍ以下の平均厚さを有することができる。一実施形態において、該フレキシブルガラス層は、１５０μｍ未満の平均厚さを有する。該フレキシブルガラスは、その表面への光起電デバイスの製造を可能にする、典型的な溶融延伸液晶ディスプレイ（ＬＣＤ）基板の寸法公差および表面品質を有することができるであろう。いくつかの実施形態において、該フレキシブルガラスは、３０ｃｍ以上、例えば、２５ｃｍ以上、例えば、２０ｃｍ以上、例えば、１５ｃｍ以上、例えば、１０ｃｍ以上、例えば、５ｃｍ以上、例えば、３ｃｍ以上、または、１ｃｍ以上の最小曲げ半径が可能である。いくつかの実施形態において、該フレキシブルガラスは、３０ｃｍ〜１ｃｍ、例えば、２５ｃｍ〜１ｃｍ、例えば、２０ｃｍ〜１ｃｍ、例えば、１５ｃｍ〜１ｃｍ、例えば、１０ｃｍ〜１ｃｍ、例えば、５ｃｍ〜１ｃｍ、例えば、３ｃｍ〜１ｃｍの最小曲げ半径が可能である。本願明細書に記載されている曲げ半径の範囲は、ガラスの次第にきつくなる曲げを対象とし、１０ｃｍは、３０ｃｍよりも小さく、かつよりきつい曲げである。０ｃｍの曲げ半径は、曲げのないガラスを表している。該フレキシブルガラスは、クラッキング、粉砕および／または破壊なしで、この最小曲げ半径が可能である。
【００２９】
一実施形態において、該デバイスは、該フレキシブルガラス層上に配置され、例えば、該デバイスは、該フレキシブルガラス層と物理的に接触している。
【００３０】
別の実施形態において、該デバイスは、該フレキシブルガラス層と離間されている。該デバイスと、該フレキシブルガラス層との間の空間には多数の層、例えば、高分子層、接着層があり、該空間は、空気、および／またはカラーフィルタ層または領域を備えることができる。
【００３１】
図１に示す、一実施形態による該フロントプレーン基板は、フレキシブルガラス層１６とガラス基板１０との間に配置された任意の接合層２４をさらに備えている。一実施形態において、該接合層はラミネート層であり、該フレキシブルガラス層は、該ガラス基板に積層される。このラミネート層は、有機または非有機接着フィルムとすることができる。別の実施例として、接合層２４は、光または熱硬化接着層とすることができる。感圧接着剤、光硬化有機接着剤、シリコーン膜および熱硬化接着剤、ガラス原料等の無機層は、接合層２４の実例である。
【００３２】
一実施形態において、該ガラス基板は、ガラスシートの形態をとっている。一実施形態において、該ガラス基板は、少なくとも２０ｋｇｆのビッカース亀裂発生閾値を有する強化ガラスを備えている。該ガラス基板は、イオン交換ガラスとすることができる。該ガラス基板は、平坦または非平坦とすることができ、例えば、該ガラス基板は、単一または可変の半径で曲げることができる。
【００３３】
いくつかの実施形態によれば、該ガラス基板は、４．０ｍｍ以下、例えば、３．５ｍｍ以下、例えば、３．２ｍｍ以下、例えば、３．０ｍｍ以下、例えば、２．５ｍｍ以下、例えば、２．０ｍｍ以下、例えば、１．９ｍｍ以下、例えば、１．８ｍｍ以下、例えば、１．５ｍｍ以下、例えば、１．１ｍｍ以下、例えば、０．５ｍｍ〜２．０ｍｍ、例えば、０．５ｍｍ〜１．１ｍｍ、例えば、０．７ｍｍ〜１．１ｍｍの厚さを有する。これらは例示的な厚さであるが、該ガラス基板は、０．１ｍｍ〜４．０ｍｍの範囲の少数位を含む任意の数値の厚さを有することができる。
【００３４】
一実施形態においては、該ガラス基板の第１の面に、機能層が設けられる。該機能層は、反射防止層、防汚層、自浄層、反射防止層、耐指紋性層、光学散乱層およびこれらの組合せから選択することができる。
【００３５】
一実施形態において、該強化ガラス基板は、ガラスシートの形態をとっている。該強化ガラス基板は、イオン交換ガラスとすることができる。該強化ガラス基板は、平坦または非平坦とすることができ、例えば、該強化ガラス基板は、単一または可変の半径で曲げることができる。図２に示すように、該フレキシブルガラス基板１６は、湾曲した強化ガラス基板１０の凹状面に接合することができる。図示されていない代替的な実施例では、フレキシブルガラス基板１６は、湾曲した強化ガラス基板１０の凸状面に接合することも可能である。
【００３６】
家庭用電化製品および高いレベルの耐損傷性が望まれるその他の分野等の用途での使用のためにデザインされたガラスは、熱的手段（例えば、熱焼き戻し）または化学的手段により、頻繁に強化される。イオン交換は、そのような用途のためのガラス物品を化学的に強化するのに幅広く用いられている。このプロセスにおいて、第１の金属イオン（例えば、Ｌｉ２Ｏ，Ｎａ２Ｏ中のアルカリ陽イオン等）を含有するガラス物品は、該ガラス中に存在する第１の金属イオンよりも大きいかまたは小さい第２の金属イオンを含有するイオン交換槽または媒体に、少なくとも部分的に浸漬されるか、さもなければ、該槽または媒体に接触される。第１の金属イオンは、該ガラス面から該イオン交換槽／媒体内に拡散し、一方、該イオン交換槽／媒体からの第２の金属イオンは、該ガラス中の第１の金属イオンを、該ガラスの表面下の層の深さまで置換する。該ガラス内でのより大きなイオンとより小さなイオンの置換は、該ガラス表面に圧縮応力を生じさせ、それに対して、該ガラス内でのより小さなイオンとより大きなイオンの置換は、典型的には、該ガラスの表面に引張応力を生じさせる。いくつかの実施形態において、第１の金属イオンおよび第２の金属イオンは、一価のアルカリ金属イオンである。しかし、Ａｇ＋，Ｔｌ＋，Ｃｕ＋等の他の一価の金属イオンも、該イオン交換プロセスに用いることができる。
【００３７】
一実施形態において、該ガラス基板は、ソーダ石灰ガラス、アルミノホウケイ酸塩、アルカリアルミノホウケイ酸塩、アルミノケイ酸塩またはアルカリアルミノケイ酸塩である。一実施形態において、該ガラス基板は、強化ガラス基板である。一実施形態において、該強化ガラス基板は、イオン交換ガラス基板である。
【００３８】
一実施形態において、該ガラス基板は、そのガラスが、該ガラスの表面から少なくとも２０μｍの層の深さまでイオン交換されている強化ガラスを備えている。
【００３９】
一実施形態において、本願明細書に記載されている強化ガラス基板は、イオン交換によって化学的に強化された場合、少なくとも約５ｋｇｆ（重量キログラム）、いくつかの実施形態においては、少なくとも１０ｋｇｆ、いくつかの実施形態において、および他の実施形態においては、少なくとも約２０ｋｇｆ、例えば、少なくとも約３０ｋｇｆのビッカース亀裂発生閾値を呈している。図３は、様々な厚さにおける、例示的なイオン交換ガラス基板、例えば、「Ｇｏｒｉｌｌａ」ガラスのリングオンリング破壊強度を示すグラフである。
【００４０】
一実施形態においては、該強化ガラス基板の第１の面に機能層が設けられている。該機能層は、ノングレア層、防汚層、自浄層、反射防止層、耐指紋性層、分化防止層、光学散乱層およびこれらの組合せから選択することができる。
【００４１】
別の実施形態は、第１の面および第２の面を有するガラス基板を設ける工程と、半径３ｃｍ以上の曲げ能力を有し、および第１の面および第２の面を有するフレキシブルガラス層を、該フレキシブルガラス層の第１の面が前記ガラス基板の第２の面に隣接するように施す工程を有してなる方法である。
【００４２】
一実施形態において、該方法は、該フレキシブルガラス層の第２の面に隣接している光電子デバイスを形成することをさらに備える。
【００４３】
一実施形態において、該方法は、フレキシブルガラスシートから成る非常に薄い層を、イオン交換ガラスシート上に施すことを備える。無アルカリフレキシブルガラスシートは、有機接着剤、または、ガラス−ガラス接合プロセス、例えば、ロールツーロール法のいずれかによって接合することができる。該実質的な無アルカリフレキシブルガラスシートは、該イオン交換ガラスシートからのアルカリイオンの移動を有効に阻止することができる。該光電子デバイスは、該フレキシブルガラスシートが一実施形態による該イオン交換ガラスシートに接合された後に、該フレキシブルガラスシート上に形成することができる。
【００４４】
高分子層は、該フレキシブルガラスを該イオン交換ガラスに接合するのに用いることができ、および溶液処理法によって堆積させることができる。該高分子は、熱的に硬化（架橋）または光硬化（架橋）させることができる。
【００４５】
該フレキシブルガラス層または該高分子層が該ガラス基板に施された後、カラーフィルタ、接着層および／または高分子層等の光電子デバイスまたは他の中間層を、該フレキシブルガラス層の第２の面または該高分子層上に形成することができる。例えば、有機ＴＦＴ装置は、該フレキシブルガラス層または該高分子層を含むイオン交換ガラス基板を含むことができる。これらの層は、異なる順序で積層することができ、および空隙によって隔てることができる。別のアプローチでは、該光電子デバイスは、該フレキシブルガラス層を該イオン交換ガラス基板上に積層する前に、無アルカリフレキシブルガラス上に形成することができる。このことは、プロセス互換性のあるフレキシブルガラスを、フロントプレーン製造中に用いることを可能にする。その後、それを該イオン交換ガラスに接合すると、機械的に耐久性のある積層体が生じる。
【００４６】
前述したように、フレキシブルガラス基板は、機械的に耐久性のあるイオン交換ガラス基板に接合して、複合構造体を形成することができる。この複合構造体は、高品質の光電子デバイス製造およびパフォーマンスのための無アルカリフレキシブルガラス面を呈している。また、該構造体は、高い機械的耐久性のイオン交換ガラスを実現できる。
【００４７】
該フレキシブルガラス層は、無アルカリガラス組成物から形成して、３００μｍ未満の厚さに延伸することができる。例えば、該フレキシブルガラスは、３００μｍ以下、例えば、２００μｍ以下、例えば、１００μｍ以下、例えば、５０μｍ以下の厚さを有することができる。該フレキシブルガラスは、その表面への、または該表面近傍への、高性能光電子デバイスの製造を可能にする、典型的な溶融延伸ＬＣＤ基板の寸法公差および表面品質を有することができるであろう。
【００４８】
該イオン交換ガラス基板は、１．５ｍｍ未満の厚さを有することができ、および典型的な「Ｇｏｒｉｌｌａ」ガラスおよびＦＩＴ（ｆｕｌｌｙ  ｉｎｔｅｇｒａｔｅｄ  ｔｏｕｃｈ）製品基板のものと同様の機械的耐久特性を有することができる。例えば、該基板は、予め最終的なサイズに切断されているデバイス基板上へのフロントプレーン製造を可能にする圧縮層を有することができ、または、該基板は、サイズが約１ｍ×１ｍ以上の基板、または、後に仕上げ形状に切断される同様の基板上へのフロントプレーン製造を可能にするであろう。
【００４９】
該フレキシブルガラスは、ラミネーションまたは他の接合方法によって、該イオン交換ガラスの表面に接合することができる。該フレキシブルガラスは、該イオン交換ガラスと等しいサイズを有することができ、または、該フレキシブルガラスは、かなり小さくすることができ、およびいくつかの個別のフレキシブルガラス片を、該イオン交換ガラス表面の全域に接合することを可能にする。該フレキシブルガラスは、低温処理に適合するように、例えば、シリコーン接着剤またはアクリル酸系接着剤から作られた粘着剤（ＰＳＡ）を用いて接合することができる。典型的なＰＳＡ膜は、厚さが１２．５〜５０μｍである。また、該フレキシブルガラスは、該フレキシブルガラスまたはイオン交換ガラスのいずれかに塗布される硬化性接着剤を用いて接合することもできる。また、この接着剤は、熱的にまたはＵＶ（光）で硬化させることもできる。
【００５０】
前述したように、光電子デバイスは、それが該イオン交換ガラス基板上に接合される前か後に、該フレキシブルガラス面に形成することができる。該光電子デバイスが接合前に形成されている場合、該デバイスは、バッチ法、連続枚葉法またはロールツーロール法等の公知の方法で形成することができる。これらの方法は、高分子フィルムと対照的なフレキシブルガラスの寸法安定性を活用する。
【００５１】
該デバイスが完全に、または部分的に形成された後、個々のデバイス基板を単一化するために、必要に応じて、レーザ切断等の高強度切断法を用いることができる。このことは、高強度の表面および縁部に関して機械的に耐久性のあるデバイスフロントプレーンを可能にする。
【００５２】
本願明細書に記載されている実施形態は、以下の利点のうちの１つ以上をもたらすことができ、すなわち、光電子デバイスを強化ガラス、例えば、イオン交換ガラス基板上に形成するための実用的方法をもたらし、および強化ガラス、例えば、イオン交換ガラスの、ディスプレイバックプレーン用の適当な基板としての利用を促進することができ、該強化ガラスの優れた圧縮強度を変えることなく、該強化ガラス、例えば、イオン交換ガラス上への電子デバイスの形成を可能にし、および／または該イオン交換ガラス上のイオンの、該電子デバイス内への移動を最小限にする容易な方法を提供することができる。
【００５３】
当業者には、本発明の意図または範囲から逸脱することなく、本発明に関して様々な変更および変形を実行できることは明らかであろう。したがって、この発明に関する変更例および変形例が、添付クレームおよびそれらの等価物の範囲内に入るという条件で、本発明が、それらの変更例および変形例をカバーすることが意図されている。
【図１】
2015506888.tif 000003
【図２】
2015506888.tif 000004
【図３】
2015506888.tif 000005
【国際調査報告】
2015506888.tif 000006
2015506888.tif 000007
2015506888.tif 000008